(57)【要約】      （修正有）【課題】収納袋の収集運送廃棄処理の労力低減と作業の効率が図れる、廃棄物収集運送用具を提供する。【解決手段】摩擦抵抗の少ない合成樹脂製薄い滑りシート材１を複数枚暖簾状に成形し、滑りシート材の上に収集物の収納袋を乗せ、収納袋を開口させ、其処に掬い上げて収集運送作業し、滑りシート材に収納袋を複数個乗せて牽引紐４で牽引することで収集運送作業の労力を低減することを特徴とする。【選択図】図１
0003196980.tif 000002
【実用新案登録請求の範囲】
【請求項１】
摩擦抵抗の少ない合成樹脂製、薄い滑りシート材を複数枚暖簾状に成形し、収集物の収納袋及び容器等を乗せ移動運送集積作業の、労力を低減することを特徴とする、廃棄物収集運送用具。
【請求項２】
請求項１に記載の、廃棄物収集運送用具で、収集処理する廃棄物により収集器具のチリトリや大型の平シャベル類に装着し、収集器具の底部に排出口を設け、収納袋に直接掬い上げ収集物の散乱飛散を防止し、粉粒類や泥水等の収集運送集積処理の労力低減と、作業の効率化を図れることを特徴とする、廃棄物収集運送用具。
【考案の詳細な説明】
【技術分野】
【０００１】      本考案は、摩擦抵抗の少ない合成樹脂製で、薄い滑りシート材を複数枚暖簾状に成形し、収集した収納袋等を廃棄物収集運送用具に乗せ、収集運送集積廃棄処理をおこなう、収集物により、装着するチリトリや大型の平シャベル類の底部には排出口を設け、収集器具で搭載した収納袋に廃棄物を掬い上げる事で、一行程での処理ができ収集物の散乱飛散を防止し、粉粒類や泥水等の収集運送廃棄作業の、労力低減を図ることを特徴とする、廃棄物収集運送用具に関する。
【背景技術】
【０００２】      収集器具での清掃収集作業は、各種の収集器具は大小あるが収集作業は、一旦収集器具に集めてから別途収納袋又は容器に入れる、袋の形状と容器の大きさ等で収集物が散乱飛散し又、収納袋は重く廃棄物処理作業は難しい物である。
【先行技術文献】
【特許文献】
【０００３】
【特許文献１】  特開平１１−２９９７１７号公報
【特許文献２】  実願平６−５８８５７号公報
【特許文献３】  実用新案登録第３１４２２２２号
【特許文献４】  実用新案登録第３１８３１４０号
【考案の概要】
【考案が解決しようとする課題】
【０００４】    上記特許文献１の示す容器は、ジャンプ式のチリトリで柄を握り収集物を収納し、廃棄物は別の収納袋等にその都度、投入作業が必要で柄等が邪魔である。
上記特許文献２の示す容器は、収集後チリトリを持ち上げ運送は、車輪付で運べ、廃棄物は別の収納袋等にその都度投入作業が必要で車輪等が邪魔である。
上記特許文献３の示す器具は、チリトリ部に集めたゴミは排出口を設け、収納袋に収集されるが、軽量物は良いが重量物の作業は限界がある。
上記特許文献４の示す器具は、チリトリ部の掃き止め部がなく、ゴミ袋を器具に装着し収集、これも軽量物は良いが重量物や他の作業は限界があり厳しい。
【課題を解決するための手段】
【０００５】    上記、課題を解決するため、本考案は、薄い滑りシート材を複数枚暖簾状に成形し、重量物の収納袋等を収集運送廃棄処理ができ、廃棄物に合わせ装着する器具には排出口を設け、器具で直接掬い上げて一行程で収納袋に収納し、収集物の散乱飛散防止が図られる、廃棄物収集運送用具である。【０００６】    摩擦抵抗の少ない合成樹脂製の薄い滑りシート材を、複数枚暖簾状に成形し、収納袋等の収集運送廃棄の労力低減と作業の効率化が図れる、廃棄物収集運送用具である。【０００７】    収集物によりチリトリや大型の平シャベル類に装着し、器具の底部には排出口を設けて収納袋を乗せ、その袋に直接掬い上げ収納し収集物の散乱飛散を防止、粉粒類や泥水等の重量物の収集運送処理の労力低減と、作業の効率化が図れる、廃棄物収集運送用具である。
【考案の効果】
【０００８】    摩擦抵抗の少ない合成樹脂製の、薄いシート材で複数枚暖簾状に成形して、収納袋等の収集運送廃棄処理の労力低減と作業の効率が図れる、廃棄物収集運送用具である。【０００９】    廃棄物収集運送用具で、収集物により装着するチリトリや大型の平シャベル類の底部に、排出口とサイドには収納袋の擦れ防止用の凸凹を設け、搭載した収納袋に直接掬い上げて収集物の散乱飛散を防止し、粉粒類や泥水等の重量物の収集運送集積作業の、労力低減と作業の効率化が図れる、廃棄物収集運送用具である。
【図面の簡単な説明】
【００１０】
【図１】  本考案となる廃棄物収集運送用具の形態図
【図２】  （Ａ）は、廃棄物収集運送用具に、収納袋を乗せて平シャベルを装着した上面からの形態図  （Ｂ）は、廃棄物収集運送用具に、収納袋を乗せて平シャベルを装着した側面図
【図３】  平シャベルに排出口を設けた一例図
【考案を実施するための形態】
【００１１】    摩擦抵抗の少ない滑りシート材で、薄い滑りシートを複数枚暖簾状に成形し、収集物によりチリトリや大型の平シャベル類の底部に排出口を設け、廃棄物収集運送用具に装着固定し収集具で直接掬い上げる事で、収納でき収集物の散乱飛散を防止し粉粒類や泥水等の、収集運送集積処理の労力低減と作業の効率化が図れる、廃棄物収集運送用具である。
【実施例】
【００１２】  図１は、本考案の廃棄物収集運送用具で、滑りシート１を複数枚と折り返しシート５を、連結板２に取り付暖簾状に成形して、牽引用穴３に牽引及び結束紐４を装着した、廃棄物収集運送用具の形態図である。【００１３】      図２（Ａ）は、滑りシート１の、折り返しシート５を収納袋６口に差し入れ、平シャベル７の排出口９部位を収納袋６で包み覆い、牽引及び結束紐４で固定装着した、廃棄物収集運送用具を上面から見た形態図である。
図２（Ｂ）は、滑りシート１の、折り返しシート５を収納袋６口に差し入れ、平シャベル７の排出口９部位を収納袋６で包み覆い、切れ込み１０部位で牽引及び結束紐４を固定装着し、平シャベル７との擦れを防止する、廃棄物収集運送用具の側面図である。【００１４】      図３は、収集器具の１つである平シャベル７に、排出口９と擦れ防止の切り込み１０を、両サイドに設けた一例図である。
【産業上の利用可能性】
【００１５】    摩擦抵抗の少ない合成樹脂製で、薄い滑りシート材を複数枚暖簾状に成形し、収納袋等の収集運送廃棄処理の労力低減と作業効率を高め、収集物により装着するチリトリや大型の平シャベル類の底部に、排出口と擦れ防止用の凸凹を設けて収集時の擦れを防止する、収納袋に直接掬い上げて収集物の散乱飛散を防止し、粉粒類や泥水等の収集が困難な廃棄物の収集運送集積処理の、労力低減と作業の効率化が図れる、廃棄物収集運送用具である。収集物や器具により材質規格等の変更が出来る。
【符号の説明】
【００１６】滑りシート      １
連結板          ２
牽引用穴        ３
牽引及び結束紐  ４
折り返しシート  ５
収納袋          ６
平シャベル      ７
平シャベル柄    ８
排出口          ９
切れ込み      １０
【図１】
0003196980.tif 000003
【図２】
0003196980.tif 000004
【図３】
0003196980.tif 000005
【手続補正書】
【提出日】平成27年1月21日(2015.1.21)
【手続補正１】
【補正対象書類名】実用新案登録請求の範囲
【補正対象項目名】全文
【補正方法】変更
【補正の内容】
【実用新案登録請求の範囲】
【請求項１】
摩擦抵抗の少ない合成樹脂製薄い滑りシート材を複数枚暖簾状に成形し滑りシート材の上に収集物の収納袋を乗せ収納袋を開口させ其処に掬い上げて収集運送作業し滑りシート材に収納袋を複数個乗せて牽引紐で牽引することで収集運送作業の労力を低減することを特徴とする廃棄物収集運送用具
【請求項２】
請求項１に記載の廃棄物収集運送用具で収集処理する廃棄物により収集器具のチリトリや平シャベル類に装着し収集器具の底部に排出口を設け収納袋に用具の折り返しシートを挿入し開口させて其処に直接掬い上げることで収納でき収集物が収納袋口からの散乱飛散を防止し粉粒類や泥水等の収集運送作業の労力低減と作業の効率化を図れることを特徴とする廃棄物収集運送用具